【手続補正書】
【提出日】平成16年2月2日(2004.2.2)
【手続補正１】
【補正対象書類名】明細書
【補正対象項目名】特許請求の範囲
【補正方法】変更
【補正の内容】
【特許請求の範囲】
【請求項１】
ホームネットワーク・クライアントコンピュータの自動構成のための方法であって、
ａ）それぞれがクライアントコンピュータ識別情報を供給している要求を自動構成のためにホームネットワーク・クライアントコンピュータから受け取る段階と、
ｂ）ｉ）ローカルサービス・プロバイダの所定のディレクトリにおける情報から選択されたローカルサービス・プロバイダ情報；
ｉｉ）クライアントコンピュータ情報のデータベースから選択された、前記クライアントコンピュータ識別情報に対応しているクライアントコンピュータ特定データ；
を決定すべく前記要求の前記クライアントコンピュータ識別情報を用いる段階であり、前記ホームネットワーク・クライアントコンピュータのそれぞれに対する前記クライアントコンピュータ特定データの少なくとも一部は、一つのコンピュータに対するコンピュータ・モデル情報，該一つのコンピュータの内部ハードウェアまたはソフトウェア構成を識別しているデータ、及び該一つのコンピュータの指定エンド・ユーザまたは受取人を識別しているデータで構成されているグループから選択されたデータを含む、該段階と、
ｃ）前記ローカルサービス・プロバイダ情報、及び前記クライアントコンピュータ特定データを対応ホームネットワーク・クライアントコンピュータにダウンロードするための命令を供給する段階と
を具備することを特徴とする方法。
【請求項２】
前記クライアントコンピュータ識別情報は、前記ホームネットワーク・クライアントコンピュータに固有に関連付けられた通し番号を含み、かつ
クライアントコンピュータ情報の前記データベースは、前記ホームネットワーク・クライアントコンピュータの取得または販売及び/又は指定された受取人への前記ホームネットワーク・クライアントコンピュータの発送に関して収集されかつ記憶される前記ホームネットワーク・クライアントコンピュータに対するデータを含み、
各対応ホームネットワーク・クライアントコンピュータに対する前記記憶されたデータは、対応通し番号、クライアントコンピュータ・モデルまたは構成、前記対応ホームネットワーク・クライアントコンピュータの前記指定された受取人を識別するセールス情報、及び前記指定された受取人に特定な構成情報を示すことを特徴とする請求項１に記載の方法。
【請求項３】
ホームネットワーク・クライアントコンピュータの自動構成のための方法であって、
ａ）それぞれがクライアントコンピュータ識別情報を供給している要求を自動構成のためにホームネットワーク・クライアントコンピュータから受け取る段階と、
ｂ）ｉ）ローカルサービス・プロバイダの所定のディレクトリにおける情報から選択されたローカルサービス・プロバイダ情報；及び
ｉｉ）クライアントコンピュータ情報のデータベースから選択された、前記クライアントコンピュータ識別情報に対応しているクライアントコンピュータ特定データ；
を決定すべく前記要求の前記クライアントコンピュータ識別情報を用いる段階と、
ｃ）前記ローカルサービス・プロバイダ情報、及び前記クライアントコンピュータ特定データを対応ホームネットワーク・クライアントコンピュータにダウンロードするための命令を供給する段階とを具備し、
クライアントコンピュータ識別情報は、ホームネットワーク・クライアントコンピュータに関連付けられた電話番号を含み、電話番号は、ホームネットワーク・クライアントコンピュータが配置される地理的領域を識別する第１の部分を含み、かつ
ローカルサービス・プロバイダのディレクトリは、ホームネットワーク・クライアントコンピュータに関連付けられた電話番号の第１の部分をローカルサービス・プロバイダにマッピングするために適するエントリを含むことを特徴とする方法。
【請求項４】
ホームネットワーク・クライアントコンピュータの自動構成のための方法であって、
前記ホームネットワーク・クライアントコンピュータが電源投入されるときに、前記ホームネットワーク・クライアントコンピュータがローカルサービス・プロバイダ、及びクライアントコンピュータ特定データに関する情報を含んでいる必須構成情報を欠いているかどうかを決定する段階と、
前記ホームネットワーク・クライアントコンピュータがいずれかの前記必須構成情報を欠いていると決定されたならば、
自動構成サーバに接続し、
前記自動構成サーバに構成要求を送り、前記要求は、前記ホームネットワーク・クラ
イアントコンピュータに関連付けられたクライアントコンピュータ識別情報を含み、
前記必須構成情報を前記自動構成サーバから受け取り、
前記ホームネットワーク・クライアントコンピュータは、それ自体を構成すべく前記
受け取った構成情報を用いる段階
を実行する段階と、
前記ホームネットワーク・クライアントコンピュータが前記必須構成情報を有しかつそれで構成されているときに、前記ローカルサービス・プロバイダへの接続を自動的に確立する段階と
を具備することを特徴とする
【請求項５】
前記クライアントコンピュータ識別情報は、前記ホームネットワーク・クライアントコンピュータに固有に関連付けられた通し番号を含み、かつ
クライアントコンピュータ情報の前記データベースは、前記ホームネットワーク・クライアントコンピュータの取得または販売及び/又は指定された受取人への前記ホームネットワーク・クライアントコンピュータの発送に関して収集されかつ記憶される前記ホームネットワーク・クライアントコンピュータに対するデータを含み、
各対応ホームネットワーク・クライアントコンピュータに対する前記記憶されたデータは、対応通し番号、クライアントコンピュータ・モデルまたは構成、前記対応ホームネットワーク・クライアントコンピュータの前記指定された受取人を識別するセールス情報、及び前記対応ホームネットワーク・クライアントコンピュータの前記指定された受取人に特定な構成情報を示すことを特徴とする請求項４に記載の方法。
【請求項６】
前記クライアントコンピュータ識別情報は、前記ホームネットワーク・クライアントコンピュータに関連付けられた電話番号を含み、前記電話番号は、前記ホームネットワーク・クライアントコンピュータが配置される地理的領域を識別する第１の部分を含み、
ローカルサービス・プロバイダの前記ディレクトリは、前記ホームネットワーク・クライアントコンピュータに関連付けられた前記電話番号の前記第１の部分をローカルサービス・プロバイダにマッピングするために適するエントリを含むことを特徴とする請求項４に記載の方法。
【請求項７】
ホームネットワーク・クライアントコンピュータを構成するための自動構成サーバであって、
それぞれがクライアントコンピュータ識別情報を供給している要求を、ホームネットワーク・クライアントコンピュータから受け取るための通信インターフェイスと、
前記通信インターフェイスに結合され、かつローカルサービス・プロバイダの所定のディレクトリ及びクライアントコンピュータ情報のデータベースに更に結合されたデータ・プロセッサと、
前記データ・プロセッサに結合され、該データ・プロセッサによる実行のための手順を記憶しているメモリと
を備え、
前記記憶された手順は、ローカルサービス・プロバイダの前記所定のディレクトリにおける情報から選択された、ローカルサービス・プロバイダ情報を決定し、かつクライアントコンピュータ情報の前記データベースから選択された、前記クライアントコンピュータ識別情報に対応しているクライアントコンピュータ特定データを更に決定すべく各前記要求における前記クライアントコンピュータ識別情報を用いるための構成手順を含み、
前記構成手順は、前記ローカルサービス・プロバイダ情報、及び前記クライアントコンピュータ特定データを対応ホームネットワーク・クライアントコンピュータにダウンロードするための命令を更に含み、
前記ホームネットワーク・クライアントコンピュータのそれぞれに対する前記クライアントコンピュータ特定データの少なくとも一部は、一つのコンピュータに対するコンピュータ・モデル情報，該一つのコンピュータの内部ハードウェアまたはソフトウェア構成を識別しているデータ、及び該一つのコンピュータの指定エンド・ユーザまたは受取人を識別しているデータで構成されているグループから選択されたデータを含むことを特徴とする自動構成サーバ。
【請求項８】
前記クライアントコンピュータ識別情報は、前記ホームネットワーク・クライアントコンピュータに固有に関連付けられた通し番号を含み、かつ
クライアントコンピュータ情報の前記データベースは、前記ホームネットワーク・クライアントコンピュータの取得または販売及び/又は指定された受取人への前記ホームネットワーク・クライアントコンピュータの発送に関して収集されかつ記憶される前記ホームネットワーク・クライアントコンピュータに対するデータを含み、
各対応ホームネットワーク・クライアントコンピュータに対する前記記憶されたデータは、対応通し番号、クライアントコンピュータ・モデルまたは構成、前記対応ホームネットワーク・クライアントコンピュータの前記指定された受取人を識別するセールス情報、及び前記対応ホームネットワーク・クライアントコンピュータの前記指定された受取人に特定な構成情報を示すことを特徴とする請求項７に記載の自動構成サーバ。
【請求項９】
ホームネットワーク・クライアントコンピュータを構成するための自動構成サーバであって、
それぞれがクライアントコンピュータ識別情報を供給している要求を、ホームネットワーク・クライアントコンピュータから受け取るための通信インターフェイスと、
前記通信インターフェイスに結合され、かつローカルサービス・プロバイダの所定のディレクトリ及びクライアントコンピュータ情報のデータベースに更に結合されたデータ・プロセッサと、
前記データ・プロセッサに結合され、該データ・プロセッサによる実行のための手順を記憶しているメモリと
を備え、
前記記憶された手順は、ローカルサービス・プロバイダの前記所定のディレクトリにおける情報から選択された、ローカルサービス・プロバイダ情報を決定し、かつクライアントコンピュータ情報の前記データベースから選択された、前記クライアントコンピュータ識別情報に対応しているクライアントコンピュータ特定データを更に決定すべく各前記要求における前記クライアントコンピュータ識別情報を用いるための構成手順を含み、
前記構成手順は、前記ローカルサービス・プロバイダ情報、及び前記クライアントコンピュータ特定データを対応ホームネットワーク・クライアントコンピュータにダウンロードするための命令を更に含み、
前記クライアントコンピュータ識別情報は、前記ホームネットワーク・クライアントコンピュータに関連付けられた電話番号を含み、前記電話番号は、前記ホームネットワーク・クライアントコンピュータが配置される地理的領域を識別する第１の部分を含み、
ローカルサービス・プロバイダの前記ディレクトリは、前記ホームネットワーク・クライアントコンピュータに関連付けられた前記電話番号の前記第１の部分をローカルサービス・プロバイダにマッピングするために適するエントリを含むことを特徴とする自動構成サーバ。
【請求項１０】
ホームネットワーク・クライアントコンピュータの自動構成のためのクライアント構成システムであって、
それぞれがクライアントコンピュータ識別情報を供給している、前記ホームネットワーク・クライアントコンピュータからの要求を送るための通信インターフェイスと、
前記通信インターフェイスに結合されたデータ・プロセッサと、
前記データ・プロセッサに結合され、該データ・プロセッサによる実行のための手順を記憶しているメモリと
を備え、
前記記憶されたメモリ手順は、前記ホームネットワーク・クライアントコンピュータが電源投入されるときに、前記ホームネットワーク・クライアントコンピュータが必須構成情報を欠いているかどうかを決定するためのクライアント構成手順を含んでおり、前記必須構成情報は、ローカルサービス・プロセッサ、及びクライアントコンピュータ特定データに関する情報を含んでおり、
前記ホームネットワーク・クライアントコンピュータがいずれかの前記必須構成情報を欠いていると決定されたならば、前記クライアント構成手順は、更に、
前記自動構成サーバに前記要求を送るべく前記通信インターフェイスを用い、
前記自動構成サーバから前記必須構成情報を受け取り、
前記ホームネットワーク・クライアントコンピュータを構成すべく前記自動構成サーバから受け取った前記構成情報を用い、
前記ホームネットワーク・クライアントコンピュータは、必須構成情報を有しかつそれで構成されたときに、前記ローカルサービス・プロセッサへの接続を自動的に確立する段階を具備することを特徴とするクライアント構成システム。
【請求項１１】
前記クライアントコンピュータ識別情報は、前記ホームネットワーク・クライアントコンピュータに固有に関連付けられた通し番号を含み、かつ
クライアントコンピュータ情報の前記データベースは、前記ホームネットワーク・クライアントコンピュータの取得または販売及び/又は指定された受取人への前記ホームネットワーク・クライアントコンピュータの発送に関して収集されかつ記憶される前記ホームネットワーク・クライアントコンピュータに対するデータを含み、
各対応ホームネットワーク・クライアントコンピュータに対する前記記憶されたデータは、対応通し番号、クライアントコンピュータ・モデルまたは構成、前記対応ホームネットワーク・クライアントコンピュータの前記指定された受取人を識別するセールス情報、及び前記対応ホームネットワーク・クライアントコンピュータの前記指定された受取人に特定な構成情報を示すことを特徴とする請求項１０に記載のクライアント構成システム。
【請求項１２】
前記クライアントコンピュータ識別情報は、前記ホームネットワーク・クライアントコンピュータに関連付けられた電話番号を含み、前記電話番号は、前記ホームネットワーク・クライアントコンピュータが配置される地理的領域を識別する第１の部分を含み、
ローカルサービス・プロバイダの前記ディレクトリは、前記ホームネットワーク・クライアントコンピュータに関連付けられた前記電話番号の前記第１の部分をローカルサービス・プロバイダにマッピングするために適するエントリを含むことを特徴とする請求項１０に記載のクライアント構成システム。